(57)【要約】      （修正有）【課題】脚部及び臀部を美しくするコンパクトな運動器具を提供する。【解決手段】フレーム１と左右の足載せ台４間に、足載せ台４をその前部を中心として左右方向に揺動可能にフレーム１に支持させる左右一対の支持機構５が介装される。又、支持機構５は、Ａ．フレーム１に左右方向に揺動可能に前端部で枢支され、上下方向に配置された第１連結軸により、前後方向中途部が足載せ台４に枢結された揺動アーム２２と、Ｂ．フレーム１に前後方向に揺動可能に一端部で枢支され、上下方向に配置された第２連結軸により、他端部が足載せ台４の前部に枢結され、揺動アーム２２の揺動時に、足載せ台４を第１連結軸を中心として回動させると共に、第２連結軸を中心として揺動アーム２２の揺動方向に揺動させる規制リンク２３と、Ｃ．揺動アーム２２の後端部に備えられて、フレーム１上面に当接し、揺動アーム２２の揺動時に、フレーム１上を摺動する摺動体２４を有する。【選択図】図１
0003163862.tif 000002
【実用新案登録請求の範囲】
【請求項１】
Ａ．フレームと、
Ｂ．左右一対の足載せ台と、
Ｃ．フレームと各足載せ台間に介装され、足載せ台をその前部を中心として左右方向に    揺動可能にフレームに支持させる左右一対の支持機構
を有し、
支持機構が、
イ．フレームに左右方向に揺動可能に前端部で枢支され、前後方向中途部が足載せ台の    下方に配置されると共に、上下方向に配置された第１連結軸により、前後方向中途部    が足載せ台に枢結された揺動アームと、
ロ．フレームに前後方向に揺動可能に一端部で枢支され、他端部が足載せ台の下方に配    置されると共に、上下方向に配置された第２連結軸により、他端部が足載せ台の前部    に枢結され、揺動アームの揺動時に、足載せ台を第１連結軸を中心として回動させる    と共に、第２連結軸を中心として揺動アームの揺動方向に揺動させる規制リンクと、  ハ．揺動アームの後端部に備えられて、フレーム上面に当接し、揺動アームの揺動時に    、フレーム上を摺動する摺動体
を有する運動器具。
【請求項２】
フレームに、摺動体と当接して揺動アームの揺動を所定範囲に規制するストッパが備えられた請求項１記載の運動器具。
【請求項３】
摺動体が、フレーム上を転動する車輪とされた請求項１又は２記載の運動器具。
【請求項４】
フレームの前端部に支柱が立設され、
支柱に、使用者が運動時に把持するハンドルが備えられた請求項１〜３の何れかに記載の運動器具。
【考案の詳細な説明】
【技術分野】
【０００１】
本考案は、室内で手軽に運動を行える運動器具に関する。
【背景技術】
【０００２】
下肢用の運動器具として、床に載置するフレームと、フレームに左右方向にスライド可能に備えられた左右一対の足載せ台を有するものがある（例えば、特許文献１参照）。このものでは、使用者が脚部を左右方向に開閉することで、脚部や臀部を鍛えることができる。
【先行技術文献】
【特許文献】
【０００３】
【特許文献１】登録実用新案３１５９８７１号公報
【考案の概要】
【考案が解決しようとする課題】
【０００４】
ところで、上記従来の運動器具では、脚部を外側に開く際に、比較的大きな力が必要となるため、脚部の外側の筋肉が鍛えられて、太くなり易く、脚部が美しくならないと共に、骨盤が開く方向に大きな力を掛けるので、臀部が大きくなり易く、臀部も美しくならないとの問題があった。
【０００５】
本考案は上記問題を解決でき、脚部及び臀部を美しくできる運動器具を提供することを目的とする。
【課題を解決するための手段】
【０００６】
上記目的を達成するために、本考案の特徴とするところは、Ａ．フレームと、Ｂ．左右一対の足載せ台と、Ｃ．フレームと各足載せ台間に介装され、足載せ台をその前部を中心として左右方向に揺動可能にフレームに支持させる左右一対の支持機構を有し、支持機構が、イ．フレームに左右方向に揺動可能に前端部で枢支され、前後方向中途部が足載せ台の下方に配置されると共に、上下方向に配置された第１連結軸により、前後方向中途部が足載せ台に枢結された揺動アームと、ロ．フレームに前後方向に揺動可能に一端部で枢支され、他端部が足載せ台の下方に配置されると共に、上下方向に配置された第２連結軸により、他端部が足載せ台の前部に枢結され、揺動アームの揺動時に、足載せ台を第１連結軸を中心として回動させると共に、第２連結軸を中心として揺動アームの揺動方向に揺動させる規制リンクと、ハ．揺動アームの後端部に備えられて、フレーム上面に当接し、揺動アームの揺動時に、フレーム上を摺動する摺動体を有する点にある。
尚、フレームに、摺動体と当接して揺動アームの揺動を所定範囲に規制するストッパが備えられることもある。
又、摺動体が、フレーム上を転動する車輪とされることもある。
更に、フレームの前端部に支柱が立設され、支柱に、使用者が運動時に把持するハンドルが備えられることもある。
【考案の効果】
【０００７】
本考案によれば、下記の効果を奏することができる。
Ａ．脚部の贅肉を取ることができて、脚部を細くでき、脚部を美しくできる。
Ｂ．使用者の脚部の内側の筋肉を鍛えることができて、臀部を持ち上げる（ヒップアッ    プ）効果を奏することができ、臀部を美しくできる。
Ｃ．臀部を小さくでき、この点でも、臀部を美しくできる。
Ｄ．規制リンクにより、足載せ台の揺動角度を揺動アームのそれよりも大きくできる。    これにより、揺動アームを大きく揺動させずとも、換言すれば、運動器具を大型化せ    ずとも、効率良く、脚部を細くできると共に、臀部を持ち上げる効果等を奏すること    ができ、運動器具をコンパクトにできる。
【図面の簡単な説明】
【０００８】
【図１】本考案の実施の形態の一例の使用状態を示す斜視図である。
【図２】図１の収納状態を示す斜視図である。
【図３】図１の一部断面平面図である。
【図４】図１の一部断面側面図である。
【図５】図１の背面図である。
【図６】図３の一部を拡大した一部断面平面図である。
【図７】図６の揺動アームが揺動した状態を示す一部断面平面図である。
【図８】図６の揺動アームが揺動した状態を示す一部断面平面図である。
【考案を実施するための形態】
【０００９】
以下、本考案の実施の形態の一例を図面に基づき説明すると、本考案の運動器具は、使用者が下肢の運動を行うためのもので、フレーム１と、ハンドル２付き支柱３と、左右一対宛の足載せ台４及び支持機構５と、ストッパ６と、計測表示装置７を有する。フレーム１、ハンドル２、支柱３は、特に、その材質に言及しない限り、スチール製とされている。
【００１０】
フレーム１は、平面視において、略「工」の字状とされ、前端部に位置し且つ左右方向に横設された前側横設部８と、後端部に位置し且つ左右方向に横設された後側横設部９と、両横設部の左右方向中央部を連結する連結部１０と、前側横設部８の左右方向中央部の上面に立設された支柱保持体１１と、前側横設部８の左右両側部の上面に固着された左右一対の揺動アーム保持枠１２を有する。後側横設部９は前側横設部８よりも長くされると共に、後側横設部９の左右各側部は、それぞれ、後方に湾曲凸状とされている。支柱保持体１１は、前側横設部８の左右方向中央部に立設された丸パイプ１１Ａと、丸パイプ１１Ａから後方に突設された角パイプ１１Ｂと、角パイプ１１Ｂの前部の上面に固着され且つ左右方向に横設された円筒体１１Ｃと、角パイプの後部の上面に固着されたゴム製の載置台１１Ｄを有する。揺動アーム保持枠１２は、側面視において、後方に開口する「コ」の字状とされている。
【００１１】
支柱３は、その下端部で、支柱保持体１１の円筒体１１Ｃに左右方向の連結ピン１４により起伏自在に連結され、図１に示す使用時に、立設された立設姿勢とされ、図２に示す収納時に、後方に水平に倒されて、支柱保持体１１の載置台１１Ｄ上に載置される伏臥姿勢とされる。支柱３は、立設姿勢時には、固定ネジ１５により、支柱保持体１１の丸パイプ１１Ａに固定され、伏臥姿勢時には、柔軟性を有する固定ベルト１６によりフレーム１の後側横設部９に固定される。支柱３は、下側パイプ３Ａと、下側パイプ３Ａ内に移動自在に挿入された上側パイプ３Ｂを有して、伸縮自在とされ、図１に示す使用時には、伸長体勢とされ、図２に示す収納時には、縮小体勢とされ、調整ネジ１７により、長さ調整可能に固定される。尚、固定ベルト１６の中央部はフレーム１の後側横設部９に固定され、固定ベルト１６の各端部には、分離自在に連結される雄型又は雌型の面ファスナー（図示省略）が備えられている。
【００１２】
ハンドル２は、支柱３の上端部に一体に備えられて、左右方向に突設されており、使用時に、使用者が把持する。
【００１３】
足載せ台４は、フレーム１の左右各側部の上方で、且つ、その前側横設部８よりも後方に配置され、足載せ台４の後端部はフレーム１の後側横設部９の上方に配置されている。足載せ台４は、スチール製の角パイプから成る取付台１９と、プラスチック製の本体２０を有する。足載せ台４、即ち、取付台１９及び本体２０は、図３及び図６に示すように、その揺動範囲の（略）中央位置で、前後方向に配設されており、取付台１９上に本体２０が固定されている。本体２０は、運動時に、使用者の足が載せられるもので、前縁部に、足が前側に飛び出さないようにするための前壁２０Ａが立設され、又、上面には、滑り止めのための突部２０Ｂ．２０Ｃが一体形成されている。
【００１４】
支持機構５は、フレーム１の左右各側部と各足載せ台４間に、それぞれ、介装され、足載せ台４をその前部を中心として左右方向に揺動可能にフレーム１に支持させる。支持機構５は、揺動アーム２２と、規制リンク２３と、摺動体として例示する左右一対の車輪２４を有する。
【００１５】
揺動アーム２２は、その揺動範囲の（略）中央位置で、前後方向に横設されて、足載せ台４の下方に配置されている。揺動アーム２２は、前部を構成するプラスチック製取付体２６と、取付体２６に挿入固定された前側丸パイプ２７と、この丸パイプ２７の後端に固着され且つ上下方向に配設された中間丸パイプ２８と、この丸パイプ２８から後方に突設された後側丸パイプ２９と、この丸パイプ２９の後端部に固着され且つ左右に突出する取付板３０を有する。各丸パイプ２７〜２９及び取付板３０はスチール製とされている。取付体２６の前端部は揺動アーム保持枠１２内に挿入されて、これらに調整ボルト３１が上下方向に挿入され、これにより、揺動アーム２２は調整ボルト３１を中心として左右方向に揺動可能とされている。尚、調整ボルト３１の回動操作により、揺動アーム２２の揺動抵抗、即ち、運動負荷を調整可能である。中間丸パイプ２８は、揺動アーム２２の長手方向中間部、即ち、長手方向中央部よりも後方寄り位置に配設されており、この丸パイプ２８に挿入された上下方向の第１連結軸３２により、丸パイプが足載せ台４の取付台１９の長手方向（略）中央部に枢結されている。
【００１６】
規制リンク２３は、揺動アーム２２の揺動時に、足載せ台４の前部が揺動アーム２２と共に揺動することを規制するもので、足載せ台４を第１連結軸３２を中心として回動させることで、足載せ台４を後述する第２連結軸３４を中心として揺動アーム２２の揺動方向に揺動させる。規制リンク２３は、フレーム１の左右各側部の前後方向中途部に略左右方向に横設されており、上下方向の支持軸３５により、規制リンク２３の一端部（内側端部）がフレーム１の連結部１０の上面に枢支されることで、規制リンク２３は支持軸を中心として前後方向に揺動可能とされている。規制リンク２３の他端部（外側端部）側は足載せ台４と揺動アーム２２間に配置され、上下方向に配設された第２連結軸３４により、足載せ台４の取付台１９の前部に枢結されている。
【００１７】
各車輪２４は、揺動アーム２２の取付板３０の左右各側部の後方に配置され、揺動アーム２２と平行な取付ボルト３６により上記各側部に取付けられている。各車輪２４はフレーム１の後側横設部９の上面に当接し、揺動アーム２２の揺動時に、フレーム１上を転動する。
【００１８】
ストッパ６は車輪２４と当接することで、揺動アーム２２の揺動を所定範囲に規制するもので、フレーム１の後側横設部９の左右各側部に、それぞれ、一対宛配設されている。即ち、各一対のストッパ６は、後側横設部９の外側端部と左右方向中央部に配設されている。ストッパ６は、後側横設部９に固着、立設されたスチール製角パイプ３８と、角パイプ３８における、揺動アーム２２側に固着された硬質プラスチック製のストッパ本体３９を有する。
【００１９】
計測表示装置７は、揺動アーム２２の揺動回数、運動時間、消費カロリー等を表示するもので、ハンドル２の中央部に着脱自在に取付けられた表示メーター４１と、左側揺動アーム２２の取付体２６から右側方に突設された突設体４２と、突設体４２から下設された被検知体４３と、フレーム１の前側横設部８の左側部の後面に取付けられたセンサー４４を有する。センサー４４は表示メーター４１と接続されており、被検知体４３を検知した際に、検出信号を表示メーター４１に出力する。表示メーター４１は検出信号を基に運動回数等を算出する。
【００２０】
上記構成例によれば、運動時には、支柱３を立設姿勢とすると共に、支柱３を伸長体勢とする。又、使用者は、各足載せ台４に足を載せると共に、手でハンドル２を把持する。
【００２１】
上記状態で、主に、脚部を細くして、脚部を美しくする運動、即ち、レッグスリム用の運動を行う際には、各脚部を左右方向に関して同一方向に捩じるように振る。これにより、図７及び図８に示すように、各揺動アーム２２が左右方向に揺動すると共に、車輪２４がフレーム１上を左右方向に転動して、両足載せ台４が（略）平行な状態を維持しながら左右方向にスライドする。この際、規制リンク２３は前後方向には僅かに揺動するだけであり、これにより、足載せ台４の前部は揺動アーム２２と共に揺動することを規制される。これによって、足載せ台４は第１連結軸３２を中心として回動すると共に、第２連結軸３４を中心として揺動アーム２２の揺動角度（量）よりも大きく揺動する。
【００２２】
上記レッグスリム用の運動時には、使用者の脚部を捩じるような運動が繰り返される。これにより、脚部の贅肉を取ることができて、脚部を細くでき、脚部を美しくできる。
【００２３】
又、脚部を細くすることよりも、臀部を持ち上げる運動、即ち、ヒップアップ用の運動を主体に行う際には、両脚部を左右方向に関して逆の方向に捩じるように振る。これにより、上記同様に、足載せ台４が左右方向にスライドして、両足載せ台４は、平面視において、「ハ」の字の状態と、逆「ハ」の字の状態を繰り返すこととなる。この際、規制リンク２３の上記同様の作用により、足載せ台４は第１連結軸３２を中心として回動すると共に、第２連結軸３４を中心として揺動アーム２２の揺動角度（量）よりも大きく揺動する。
【００２４】
上記ヒップアップ用の運動時には、両足載せ台４、即ち、使用者の両足が、「ハ」の字の状態と、逆「ハ」の字の状態を繰り返すことで、使用者の脚部の内側の筋肉が鍛えられる。これにより、臀部を持ち上げる（ヒップアップ）効果を奏することができて、臀部を美しくできる。又、使用者の両足が「ハ」の字の状態から逆「ハ」の字の状態になる際に、特に意識して力を入れるようにすれば、使用者の骨盤にこれを閉じるような力を作用させることができて、臀部を小さくでき、この点でも、臀部を美しくできる。尚、このヒップアップ用の運動時にも、脚部が捩じられるので、付随的に、脚部を細くできて、脚部を美しくできる。
【００２５】
又、上記何れの運動時にも、規制リンク２３により、足載せ台４の揺動角度を揺動アーム２２のそれよりも大きくできる。これにより、揺動アーム２２を大きく揺動させずとも、換言すれば、運動器具を大型化せずとも、効率良く、脚部を細くできると共に、臀部を持ち上げる効果等を奏することができ、運動器具をコンパクトにできる。
【００２６】
尚、上記実施の形態では、摺動体として、車輪を使用したが、フレーム上を摺動するものであれば、車輪でなくてもよい。
【産業上の利用可能性】
【００２７】
本考案は、下肢用の運動器具に適用できる。
【符号の説明】
【００２８】
１  フレーム
２  ハンドル
３  支柱
４  足載せ台
５  支持機構
６  ストッパ
２２  揺動アーム
２３  規制リンク
２４  車輪（摺動体）
３２，３４  第１・第２連結軸
【図１】
0003163862.tif 000003
【図２】
0003163862.tif 000004
【図３】
0003163862.tif 000005
【図４】
0003163862.tif 000006
【図５】
0003163862.tif 000007
【図６】
0003163862.tif 000008
【図７】
0003163862.tif 000009
【図８】
0003163862.tif 000010